(57)【要約】    【課題】      ソフトハンドオーバ中の移動局装置の伝送レートが過度に小さくなることを防止すること。    【解決手段】  得点化部３０４２は、ノンサービングセルの基地局装置から送信された伝送レートコマンドＲＧの種類に応じて、「ＨＯＬＤ」なら「０」、「ＤＯＷＮ」なら「１」の得点を付与し、合計値を算出する。レート決定部３０４４は、しきい値設定部３０４３で設定されたしきい値と得点化部３０４２で算出された得点値とを比較することにより、各ノンサービングセルから送信されるＲＧを総合した伝送レートコマンドを決定する。移動局装置の上り伝送レートは、サービングセルの伝送レートコマンドおよび各ノンサービングセルの伝送レートコマンドを総合した伝送レートコマンドとに基づいて決定される。  【選択図】      図４
2006140844.tif 000002
【特許請求の範囲】
【請求項１】
絶対的な伝送レートコマンドを送信する１つのサービングセルの基地局装置および相対的な伝送レートコマンドを送信する少なくとも１つのノンサービングセルの基地局装置を含む複数の基地局装置と同時に通信する移動局装置であって、
前記ノンサービングセルの基地局装置から送信される伝送レートコマンドの種類に応じて得点値を算出する得点化手段と、
前記得点化手段により算出された得点値と所定のしきい値との比較結果に応じて総合的な伝送レートコマンドを決定する総合伝送レートコマンド決定手段と、
前記総合的な伝送レートコマンドに基づき伝送レートを決定する伝送レート決定手段と、
を有することを特徴とする移動局装置。
【請求項２】
前記総合伝送レートコマンド決定手段は、
前記得点化手段により算出された得点値と複数の所定のしきい値との大小関係を比較し、
比較結果に応じて伝送レートの制御量を適応的に変化させる総合的な伝送レートコマンドを決定することを特徴とする請求項１記載の移動局装置。
【請求項３】
前記ノンサービングセルの基地局装置から送信される伝送レートコマンドを複数時間間隔分記憶する伝送レートコマンド記憶手段、を更に有し、
前記得点化手段は、
前記伝送レートコマンド記憶手段に記憶された複数時間間隔分の伝送レートコマンドから得点値を算出することを特徴とする請求項１または請求項２記載の移動局装置。
【請求項４】
絶対的な伝送レートコマンドを送信する１つのサービングセルの基地局装置および相対的な伝送レートコマンドを送信する少なくとも１つのノンサービングセルの基地局装置を含む複数の基地局装置と同時に通信する移動局装置の伝送レート制御方法であって、
前記ノンサービングセルの基地局装置から送信される伝送レートコマンドの種類に応じて得点値を算出する算出ステップと、
前記算出された得点値と所定のしきい値との比較結果に応じて総合的な伝送レートコマンドを決定する第１決定ステップと、
総合的な伝送レートコマンドに基づき伝送レートを決定する第２決定ステップと、
を有することを特徴とする伝送レート制御方法。
【請求項５】
前記第１決定ステップは、
前記算出された得点値と前記複数の所定のしきい値との大小関係を比較するステップと、
比較結果に基づき伝送レートの制御量を適応的に変化させる総合的な伝送レートコマンドを決定するステップと、
を有することを特徴とする請求項４記載の伝送レート制御方法。
【請求項６】
前記ノンサービングセルの基地局装置から送信される伝送レートコマンドを複数時間間隔分記憶するステップ、を更に有し、
前記算出ステップは、
前記記憶された複数時間間隔分の伝送レートコマンドに基づいて得点値を算出することを特徴とする請求項４または請求項５記載の伝送レート制御方法。
【発明の詳細な説明】
【技術分野】
【０００１】
本発明は、移動局装置および伝送レート制御方法に関し、特にソフトハンドオーバ中の移動局装置が複数の基地局装置から上り回線の伝送レートを指示される移動体通信システムにおける移動局装置および伝送レート制御方法に関する。
【背景技術】
【０００２】
近年、Ｗ−ＣＤＭＡ（Wideband-Code Division Multiple Access）における上り回線のパケット通信を高速化する伝送規格として、ＨＳＵＰＡ（High Speed Uplink Packet Access）が検討されている。ＨＳＵＰＡにおいては、上り回線パケットを伝送する専用のチャネルとしてＥ−ＤＣＨ（Enhanced-Dedicated CHannel）が設けられる。
【０００３】
このＥ−ＤＣＨの電力は、基地局装置の受信電力のうち、熱雑音電力、他セル干渉電力、および音声などの通信に用いられる個別チャネルの電力以外の部分を占めている。換言すれば、基地局装置が受信可能な最大の受信電力を示すＲｏＴ閾値（RoT(Rise over Thermal) threshold）から熱雑音電力、他セル干渉電力、および個別チャネル電力の３種類の電力を除外した電力に、Ｅ−ＤＣＨを割り当てることが可能である。
【０００４】
ここで、基地局装置がカバーするセルには、複数の移動局装置が属しているため、これらの移動局装置に効率良くＥ−ＤＣＨ電力を割り当てて上り回線のパケット通信を行う必要がある。非特許文献１においては、このＥ−ＤＣＨ電力を各移動局装置に効率良く分配するために、基地局装置によってスケジューリングが行われることが記載されている。
【０００５】
一方、移動局装置は、複数のセルの境界付近に位置する際にソフトハンドオーバを行って、複数の基地局装置と通信を行うことがある。このとき、ソフトハンドオーバ中の移動局装置に関しては、複数の基地局装置によってスケジューリングが行われ、上り回線の伝送レートが制御されることになる。つまり、１つの移動局装置に対して、複数の基地局装置から上り回線の伝送レートを制御するための伝送レートコマンドが送信されることになり、移動局装置は、複数の伝送レートコマンドから実際の上り回線の伝送レートを決定する必要がある。
【０００６】
このような伝送レート制御方法の１つとしては、例えば非特許文献２に提案されているものがある。非特許文献２においては、ソフトハンドオーバ中の移動局装置が同時に通信する複数の基地局装置（以下、「アクティブセット（active set）の基地局装置」という）のセルから１つのサービングセル（serving cell）が選択される。サービングセルの基地局装置は、具体的に上り回線の伝送レートを指定する、絶対的な伝送レートコマンド（ＡＧ：Absolute Grants）の送信を含めて、自由に移動局装置の伝送レートを指示する。そして、サービングセル以外のノンサービングセル（non-serving cell）の基地局装置は、移動局装置の上り伝送レートを上げる旨の指示を行うことはできず、伝送レートを維持する旨または他基地局装置の指示に従ってよい（当該セルに干渉余裕がある）旨の「ＨＯＬＤ」、もしくは伝送レートを減少させる旨の「ＤＯＷＮ」のいずれかを示す、相対的な伝送レートコマンド（ＲＧ：Relative Grants）を送信する。つまり、サービングセルの基地局装置は、伝送レートコマンドとしてＡＧおよびＲＧ（「ＵＰ」、「ＨＯＬＤ」、「ＤＯＷＮ」）の両方を送信する一方、ノンサービングセルの基地局装置は、伝送レートコマンドとしてＲＧ（「ＨＯＬＤ」、「ＤＯＷＮ」）のみを送信する。
【０００７】
移動局装置は、基本的にはサービングセルからのＡＧまたはＲＧに従うものの、ノンサービングセルからのＲＧを考慮に入れることにより、迅速な伝送レートの最適化を図りつつ、アクティブセットの基地局装置すべてのセルにおける干渉電力の増加を抑制することができる。
【０００８】
具体的に図１５を参照して、アクティブセットの基地局装置＃１〜＃４のうち基地局装置＃１のセルがサービングセルである場合について説明する。図１５は、時刻１〜１１における、基地局装置＃１（サービングセル）のＡＧ、基地局装置＃２〜＃４（ノンサービングセル）のＲＧ、移動局装置の動作、および実際の上り回線の伝送レートを示す図である。
【０００９】
例えば時刻１においては、基地局装置＃１は、１２８ｋｂｐｓ（kilo bit per second）の伝送レートで上り回線の通信を行う旨の指示（ＡＧ）を移動局装置へ送信する。また、基地局装置＃２〜＃４は、それぞれのセルにおける伝搬環境や通信状態を考慮して、伝送レートを維持する旨または他基地局装置の指示に従ってよい（当該セルに干渉余裕がある）旨の「ＨＯＬＤ」（ＲＧ）を移動局装置へ送信する。なお、図１５においては、伝送レートの維持（ＨＯＬＤ）を「Ｈ」で示し、伝送レートの減少（ＤＯＷＮ）を「Ｄ」で示している。
【００１０】
移動局装置は、基地局装置＃２〜＃４のＲＧがすべて「ＨＯＬＤ」であることから、干渉電力が過大となっているノンサービングセルはないと判断し、基地局装置＃１のＡＧに従って伝送レートを１２８ｋｂｐｓに設定してパケットを送信する。
【００１１】
次いで、時刻２においては、基地局装置＃１は、再び１２８ｋｂｐｓのＡＧを送信する。一方、基地局装置＃２は、伝送レートを減少させる旨の「ＤＯＷＮ」を送信し、基地局装置＃３、＃４は、「ＨＯＬＤ」を送信する。
【００１２】
移動局装置は、基地局装置＃２のＲＧが「ＤＯＷＮ」であることから、基地局装置＃２のセルにおける干渉電力が過大となっていると判断し、あらかじめ設定された減少幅だけ伝送レートを減少させる。したがって、移動局装置は、基地局装置＃１のＡＧに従わずに１段階伝送レートを減少させて６４ｋｂｐｓに設定してパケットを送信する。つまり、移動局装置は、一つでも「ＤＯＷＮ」が受信された場合には、「ＤＯＷＮ」を送信したセルは過干渉の状態にあると判断し、サービングセルの指示（ＡＧ）に従わず、一律に上り伝送レートを下げる処理を行う。
【００１３】
このような伝送レート制御を行うことにより、サービングセルのＡＧによって迅速に伝送レートを変更することができるとともに、ノンサービングセルのＲＧによってノンサービングセルにおける干渉電力の増大を抑制することができる。
【非特許文献１】3GPP TR25.896 V6.0.0（2004-03）
【非特許文献２】"EUL scheduling: signalling support"、3GPP TSG-RAN WG1 Meeting #38bis、R1-041084（2004-09）
【発明の開示】
【発明が解決しようとする課題】
【００１４】
しかしながら、ノンサービングセルが送信する「ＤＯＷＮ」を送信するのは、自セルの干渉電力が過大になった場合だけではなく、スケジューリングにおける優先度制御の結果、ソフトハンドオーバ中の移動局装置の優先度が低くなった場合もある。この場合、当該ノンサービングセルでは干渉電力が過大の状態ではないにも関わらず、上述の伝送レート制御方法が適用される結果、ソフトハンドオーバ中の移動局装置の伝送レートが過度に減少してしまうことになる。
【００１５】
この問題について、図１６の例を参照して具体的に説明する。図１６は、図１５と同様に、時刻１〜６における伝送レート制御を示す図である。図１６において、ソフトハンドオーバ中である移動局装置は、基地局装置＃１〜＃４と通信を行っており、基地局装置＃１はサービングセル、基地局装置＃２〜＃４はノンサービングセルである。またサービングセルである基地局装置＃１は、伝送レートコマンドとしてＡＧ（１２８ｋｂｐｓ）を送信している。
【００１６】
時刻１においては、基地局装置＃１から１２８ｋｂｐｓのＡＧが許可され、基地局装置＃２から基地局装置＃４は全てＲＧで「ＨＯＬＤ」を送信している。この場合、時刻２における移動局装置の上り伝送レートは、基地局装置＃１からの許可通り１２８ｋｂｐｓである。一方、時刻２から時刻６においては、基地局装置＃１から１２８ｋｂｐｓでの送信を許可されているにも関わらず、基地局装置＃２から基地局装置＃４の中で少なくとも一つの基地局装置から「ＤＯＷＮ」を送信されているので、移動局装置は上り伝送レートを下げ続ける。この結果、時刻６においては、次回の上り伝送レートが０ｋｂｐｓ（送信停止）となる。
【００１７】
このように、アクティブセット中のノンサービングセルが一つでも「ＤＯＷＮ」を送信してきた場合に上り伝送レート下げるという伝送レート制御を単純に適用すると、各ノンサービングセルからのＲＧが当該セルにおける干渉電力が過大である状態を示していないにも関わらず、ソフトハンドオーバ中の移動局装置の上り伝送レートを過度に減少させてしまう可能性が高くなる。
【００１８】
本発明はかかる点に鑑みてなされたものであり、ソフトハンドオーバ中の移動局装置の上り伝送レートが過度に減少することを防ぐことができる移動局装置および伝送レート制御方法を提供することを目的とする。
【課題を解決するための手段】
【００１９】
本発明の移動局装置は、絶対的な伝送レートコマンドを送信する１つのサービングセルの基地局装置および相対的な伝送レートコマンドを送信する少なくとも１つのノンサービングセルの基地局装置を含む複数の基地局装置と同時に通信する移動局装置であって、前記ノンサービングセルの基地局装置から送信される伝送レートコマンドの種類に応じて得点値を算出する得点化手段と、前記得点化手段により算出された得点値と所定のしきい値との比較結果に応じて総合的な伝送レートコマンドを決定する総合伝送レートコマンド決定手段と、前記総合的な伝送レートコマンドに基づき伝送レートを決定する伝送レート決定手段と、を有する構成を採る。
【００２０】
本発明の伝送レート制御方法は、絶対的な伝送レートコマンドを送信する１つのサービングセルの基地局装置および相対的な伝送レートコマンドを送信する少なくとも１つのノンサービングセルの基地局装置を含む複数の基地局装置と同時に通信する移動局装置の伝送レート制御方法であって、前記ノンサービングセルの基地局装置から送信される伝送レートコマンドの種類に応じて得点値を算出する算出ステップと、前記算出された得点値と所定のしきい値との比較結果に応じて総合的な伝送レートコマンドを決定する第１決定ステップと、総合的な伝送レートコマンドに基づき伝送レートを決定する第２決定ステップと、を有するようにした。
【００２１】
これらによれば、ノンサービングセルから送信される伝送レートコマンドに対して各々の種類に応じた得点を付与し、その合計値と所定のしきい値との比較を行うことにより総合的な伝送レートコマンドを判定することができるので、一つでも「ＤＯＷＮ」を送信する基地局装置があればすぐ上り伝送レートを減少させてしまうことがなく、ソフトハンドオーバ中の移動局装置の上り伝送レートが過度に減少するのを防ぐことができる。
【発明の効果】
【００２２】
本発明によれば、ソフトハンドオーバ中の移動局装置の上り伝送レートが過度に減少することを防ぐことができる。
【発明を実施するための最良の形態】
【００２３】
本発明の骨子は、ノンサービングセルから送信されるＲＧの種類に応じて得点を付与し、付与された得点と所定のしきい値との比較を行うことにより総合的なＲＧの判定を行い、判定された総合的なＲＧに基づいて上り伝送レートの制御を行うことである。
【００２４】
（実施の形態１）
図１は、本発明の実施の形態１に係る移動体通信システムの構成を示す図である。同図に示すように基地局装置１００ａ〜１００ｃは互いに隣接しており、それぞれセル２００ａ〜２００ｃをカバーしている。そして移動局装置３００は、セル２００ａ〜２００ｃの境界付近に位置しており、基地局装置１００ａ〜１００ｃを通信相手としてソフトハンドオーバを行っている。すなわち、基地局装置１００ａ〜１００ｃは、移動局装置３００のアクティブセットの基地局装置である。
【００２５】
また、セル２００ａは、移動局装置３００のサービングセルであり、セル２００ｂ、２００は、移動局装置３００のノンサービングセルである。したがって、セル２００ａをカバーする基地局装置１００ａからは、上り回線の伝送レートを具体的に指示するＡＧ、または「ＵＰ」「ＨＯＬＤ」「ＤＯＷＮ」のいずれかのＲＧが移動局装置３００へ送信される（図中太い矢印）。また、セル２００ｂ、２００ｃをカバーする基地局装置１００ｂ、１００ｃからは、「ＨＯＬＤ」「ＤＯＷＮ」のいずれかのＲＧが移動局装置３００へ送信される。移動局装置３００は、これらのＡＧおよびＲＧを受信し、最終的な上り回線の伝送レートを決定し、決定された伝送レートに応じた変調方式、符号化率、および送信電力で信号を送信する。
【００２６】
図２は、本発明の実施の形態１に係る基地局装置１００ａの要部構成を示すブロック図である。図２に示すように、本実施の形態に係る基地局装置は、ＲＦ（Radio Frequency：無線周波数）受信部１０１、復調部１０２、誤り訂正復号部１０３、ハンドオーバ情報抽出部１０４、ＲｏＴ測定部１０５、上りスケジューリング部１０６、誤り訂正符号化部１０７、変調部１０８、およびＲＦ送信部１０９を有している。なお、基地局装置１００ｂ、１００ｃも同様の構成を有している。
【００２７】
ＲＦ受信部１０１は、アンテナから信号を受信し、受信信号に対して所定の無線受信処理（ダウンコンバート、Ａ／Ｄ変換など）を施し、復調部１０２およびＲｏＴ測定部１０５に出力する。
【００２８】
復調部１０２は、ＲＦ受信部１０１から入力された信号を復調して誤り訂正復号部１０３、ハンドオーバ情報抽出部１０４およびＲｏＴ測定部１０５へ出力する。なお、復調部１０２は、各移動局装置における伝送レート決定の結果、各移動局装置において適用された変調方式に対応する復調を行う。
【００２９】
誤り訂正復号部１０３は、復調部１０２から入力された信号に誤り訂正復号処理を施し、受信データおよび移動局装置から基地局装置への伝送レート要求を示す上り伝送レート制御情報を分離する。分離された上り伝送レート制御情報は上りスケジューリング部１０６に出力される。なお、誤り訂正復号部１０３は、各移動局装置における伝送レート制御の結果、各移動局装置において適用された伝送レートに対応する誤り訂正復号を行う。
【００３０】
ハンドオーバ情報抽出部１０４は、復調部１０２から入力された復調信号から各移動局装置が現在ソフトハンドオーバ状態にあるか否かを示すＳＨＯ  ＵＥ情報を抽出し、上りスケジューリング部１０６に出力する。
【００３１】
ＲｏＴ情報測定部１０５は、ＲＦ受信部１０１における受信電力の内訳を測定し、この内訳に関するＲｏＴ情報を上りスケジューリング部１０６へ出力する。具体的には、ＲｏＴ情報測定部１０５は、ＲＦ受信部１０１における受信電力において、熱雑音電力、他セルからの干渉電力、セル１００ａ内の各移動局装置からの個別チャネル電力、およびセル１００ａ内の各移動局装置からのＥ−ＤＣＨ電力のそれぞれを測定し、この内訳を示すＲｏＴ情報を上りスケジューリング部１０６へ出力する。
【００３２】
上りスケジューリング部１０６は、誤り訂正復号部１０３から出力された上り伝送レート制御情報とハンドオーバ情報抽出部１０４から出力されたＳＨＯ  ＵＥ情報およびＲｏＴ測定部１０５から出力されたＲｏＴ情報から、Ｅ−ＤＣＨ電力の割当てを行い、伝送レートコマンドを生成する。ここで、ソフトハンドオーバ中の移動局装置に対しては、自局がサービングセルである場合にはＡＧまたはＲＧ（「ＵＰ」、「ＨＯＬＤ」、「ＤＯＷＮ」）を生成し、自局がノンサービングセルである場合にはＲＧ（「ＨＯＬＤ」、「ＤＯＷＮ」）を生成する。また、ソフトハンドオーバ中でない移動局装置に対しては、ＡＧまたはＲＧ（「ＵＰ」、「ＨＯＬＤ」、「ＤＯＷＮ」）を生成する。生成された伝送レートコマンドは、誤り訂正符号化部１０７に出力される。
【００３３】
誤り訂正符号化部１０７は、伝送レートコマンドおよび送信データを誤り訂正符号化し、得られた符号化データを変調部１０８へ出力する。
【００３４】
変調部１０８は、符号化データを変調し、得られた変調データをＲＦ送信部１０９へ出力する。
【００３５】
ＲＦ送信部１０９は、変調データに対して所定の無線送信処理（Ｄ／Ａ変換、アップコンバートなど）を施し、アンテナを介して送信する。
【００３６】
図３は、本発明の実施の形態１に係る移動局装置３００の要部構成を示すブロック図である。図３に示すように、本実施の形態に係る移動局装置３００は、ＲＦ受信部３０１、復調部３０２、誤り訂正復号部３０３、上り伝送レート制御部３０４、送信データバッファ部３０５、誤り訂正符号化部３０６、変調部３０７、送信電力制御部３０８、およびＲＦ送信部３０９を有している。
【００３７】
ＲＦ受信部３０１は、基地局装置１００ａ〜１００ｃから送信される信号をアンテナを介して受信し、受信信号に対して所定の無線受信処理（ダウンコンバート、Ａ／Ｄ変換など）を施す。
【００３８】
復調部３０２は、無線受信処理後の受信信号を復調し、得られた復調信号を誤り訂正復号部３０３へ出力する。
【００３９】
誤り訂正復号部３０３は、復調信号を誤り訂正復号し、受信データを出力するとともに、受信信号に含まれる伝送レートコマンドを上り伝送レート制御部３０４へ出力する。
【００４０】
上り伝送レート制御部３０４は、復号後の基地局装置１００ａ〜１００ｃからの伝送レートコマンド（ＡＧ／ＲＧ）と、当該移動局装置３００が自局の中で管理している、現在ソフトハンドオーバ中であるか否かを示すソフトハンドオーバ情報を用いて上り伝送レートを決定する。決定された上り伝送レート情報は、送信データバッファ部３０５、誤り訂正符号化部３０６、変調部３０７および送信電力制御部３０８に出力される。上り伝送レート制御部３０４の詳細な構成については、後に詳述する。
【００４１】
送信データバッファ部３０５は、送信データを一時的に蓄積し、上り伝送レート制御部３０４から出力される最終的な伝送レートに応じて、蓄積されたデータを誤り訂正符号化部３０６へ出力する。
【００４２】
誤り訂正符号化部３０６は、最終的な伝送レートに対応して送信データバッファ部３０５から出力されるデータ、およびソフトハンドオーバ情報を誤り訂正符号化し、得られた符号化データを変調部３０７へ出力する。
【００４３】
変調部３０７は、最終的な上り伝送レートに対応する変調方式で符号化データを変調し、得られた変調データをＲＦ送信部３０９へ出力する。
【００４４】
送信電力制御部３０８は、最終的な上り伝送レートに対応する送信電力を決定し、決定された送信電力をＲＦ送信部３０９に設定する。
【００４５】
ＲＦ送信部３０９は、変調データに対して所定の無線送信処理（Ｄ／Ａ変換、アップコンバートなど）を施すとともに、この変調データの送信電力を送信電力制御部３０８によって設定された送信電力として、アンテナを介して送信する。
【００４６】
図４は、本発明に係る上り伝送レート制御部３０４の内部構成を示すブロック図である。図４に示すように、本実施の形態に係る上り伝送レート制御部３０４は、切替部３０４１、得点化部３０４２、しきい値設定部３０４３、およびレート決定部３０４４を有している。
【００４７】
切替部３０４１は、移動局装置が管理している自局がソフトハンドオーバ中であるか否かを示すソフトハンドオーバ情報に基づき誤り訂正復号部３０３から出力される伝送レートコマンドの出力先を切り替える。具体的には、自装置がソフトハンドオーバ中でない場合には、切替部３０４１は、レート決定部３０４４に伝送レートコマンドを出力し、一方、自装置がソフトハンドオーバ状態である場合には、得点化部３０４２に伝送レートコマンドを出力する。
【００４８】
得点化部３０４２は、ノンサービングセルからのＲＧの種類に応じて各ＲＧに得点を付与する。一例として本実施例では、「ＤＯＷＮ」の場合には「１」を「ＨＯＬＤ」の場合には「０」を得点として付与するものとする。さらに、得点化部３０４２は、各ＲＧに得点を付与した後、得点を加算して合計値を算出し、レート決定部３０４４に出力する。
【００４９】
しきい値設定部３０４３は、所定のしきい値を保持しており、保持されたしきい値をレート決定部３０４４に設定する。なお、しきい値は可変の値とすることも可能である。
【００５０】
レート決定部３０４４は、自局がソフトハンドオーバ中である場合、得点化部３０４２から出力された各ノンサービングセルのＲＧを得点化した合計値としきい値設定部３０４３から出力されたしきい値とを比較し、上り伝送レートを決定する。具体的には、レート決定部３０４４は、しきい値比較の結果から総合的なＲＧ（「ＨＯＬＤ」、「ＤＯＷＮ」）を決定し、決定された総合的なＲＧとＡＧから上り伝送レートを決定する。一方、自局がソフトハンドオーバ状態ではない場合には、通信中の基地局装置から送信されたＡＧまたはＲＧに従い上り伝送レートを決定する。そして、レート決定部３０４４は、決定した上り伝送レートを、送信データバッファ部３０５、誤り訂正符合化部３０６、変調部３０７、送信電力制御部３０８へ出力する。
【００５１】
次に実施の形態１に係る上り伝送レート制御方法について図５から図７を用いて説明する。
【００５２】
図５は、実施の形態１に係る上り伝送レート制御方法を示すフロー図である。
【００５３】
まず、移動局装置３００は、自局で管理しているソフトハンドオーバ情報に基づき、自局がソフトハンドオーバ中であるか否かを判定する（ＳＴ５０１）。ソフトハンドオーバ中でない場合（ＳＴ５０１：Ｎｏ）、通信中の基地局装置から送信されるＡＧ／ＲＧに従って上り伝送レートの制御が行われる（ＳＴ５１２）。
【００５４】
ソフトハンドオーバ中である場合（ＳＴ５０１：Ｙｅｓ）、誤り訂正復号部３０３は、アクティブセット中の各基地局装置からの伝送レートコマンドを復号し、復号した伝送レートコマンドを切替部３０４１経由で得点化部３０４２に出力する（ＳＴ５０２）。
【００５５】
得点化部３０４２は、各ノンサービングセルからのＲＧを、各ＲＧの種類（「ＨＯＬＤ」、「ＤＯＷＮ」）に応じて得点化する。ここでは、得点化部３０４２は、「ＨＯＬＤ」を「０」と得点化し、「ＤＯＷＮ」を「１」と得点化するものとして説明を続ける。さらに、得点化部３０４２は、各ＲＧについて得点化を行った後、全てのノンサービングセルのＲＧに付与された得点を合計し（ＳＴ５０３）、合計値をレート決定部３０４４に出力する。ここで、「ＨＯＬＤ」に「０」、「ＤＯＷＮ」に「１」を付与しているため、得点の合計値が大きいほど「ＤＯＷＮ」が多いことを意味している。
【００５６】
レート決定部３０４４は、得点化部３０４２から出力された全てのノンサービングセルのＲＧに付与された得点の合計値としきい値設定部３０４３によって設定されたしきい値とを比較する（ＳＴ５０４）。そして、レート決定部３０４４は、比較の結果に基づいて、各ノンサービングセルから送信されたＲＧの合成を行い、次回の上り伝送レートの決定を行う。
【００５７】
具体的には、ＳＴ５０４の比較の結果、得点の合計値がしきい値を超える場合（ＳＴ５０４：Ｙｅｓ）、「ＤＯＷＮ」が比較的多く送信されていると判断できることから、すべてのノンサービングセルによる総合的なＲＧを「ＤＯＷＮ」とする（ＳＴ５０５）。そして、レート決定部３０４４は、サービングセルのＡＧには従わず、総合的なＲＧ「ＤＯＷＮ」に従って上り伝送レートを１段階低くする（ＳＴ５０６）。
【００５８】
一方、ＳＴ５０４の比較の結果、得点の合計値がしきい値以下の場合（ＳＴ５０４：Ｎｏ）、「ＨＯＬＤ」が比較的多く送信されていると判断できることから、すべてのノンサービングセルによる総合的なＲＧを「ＨＯＬＤ」とする（ＳＴ５０７）。そして、レート決定部３０４４は、サービングセルからの新たなＡＧが受信されるまでは、前回の上り伝送レートを維持する（ＳＴ５０８）。
【００５９】
次に、レート決定部３０４４は、決定された上り伝送レートに対応する送信電力が移動局装置３００の最大送信電力を超えているか否かを判定し（ＳＴ５０９）、移動局装置３００の最大送信電力を超えていれば（ＳＴ５０９：Ｙｅｓ）、移動局装置３００の最大電力に対応した上り伝送レートが最終的に決定される。最終的な上り伝送レートは、上り伝送レート情報として送信データバッファ部３０５、誤り訂正符号化部３０６、変調部３０７、および送信電力制御部３０８へ通知され、最大電力に対応した上り伝送レートで送信が行われる（ＳＴ５１０）。一方、決定された上り伝送レートに対応する送信電力が移動局装置３００の最大送信電力を超えていなければ（ＳＴ５０９：Ｎｏ）、決定された上り伝送レートで送信が行われる（ＳＴ５１１）。
【００６０】
次いで、レート決定部３０４４の上り伝送レート制御の具体例について図６を用いて説明する。
【００６１】
図６において、ソフトハンドオーバ中である移動局装置は、基地局装置＃１〜＃４と通信を行っており、基地局装置＃１はサービングセル、基地局装置＃２〜＃４はノンサービングセルである。またサービングセルである基地局装置＃１は、伝送レートコマンドとしてＡＧ（１２８ｋｂｐｓ）を送信している。また、前回の上り伝送レートも１２８ｋｂｐｓである例である。
【００６２】
図６（ａ）においては、ノンサービングセルである基地局装置＃２〜＃４は、それぞれ「ＤＯＷＮ」、「ＤＯＷＮ」、「ＨＯＬＤ」を送信している。この場合、各ノンサービングセルのＲＧには、「１」、「１」、「０」の得点が付与され、合計得点値は「２」となる。また、しきい値としては、しきい値設定部３０４３により１．５が設定されており、合計得点値は、しきい値以上であるので、レート決定部３０４４は、ノンサービングセルからの総合的なＲＧを「ＤＯＷＮ」と判断する。この場合、レート決定部３０４４は、サービングセルである基地局装置＃１からの伝送レートコマンドには従わず、現在のレートよりも１段階低い上り伝送レートが最終的な上り伝送レートとなる。
【００６３】
上述した上り伝送レートの決定は、例えば図７に示したＴＦＣが変更されることにより実現される。つまり、例えば、図７に示すテーブルがレート決定部３０４４によって保持されており、伝送レートコマンドに従ってＴＦＣポインタ７００が移動することにより、上り伝送レートが決定される。例えば図６（ａ）の場合、伝送レート１２８ｋｂｐｓに対応するＴＦＣ５から１段階下がったＴＦＣ４に対応する伝送レート９６ｋｂｐｓが次回の上り伝送レートとして決定される。
【００６４】
一方、図６（ｂ）の場合、ノンサービングセルである基地局装置＃２〜基地局装置＃４はそれぞれ、「ＨＯＬＤ」、「ＤＯＷＮ」、「ＨＯＬＤ」を送信している。この場合、各ノンサービングセルのＲＧには、「０」、「１」、「０」の得点が付与され、合計得点値は「１」となる。また、しきい値としては、しきい値設定部３０４３により１．５が設定されており、合計得点値は、しきい値未満であるので、レート決定部３０４４は、ノンサービングセルからの総合的なＲＧを「ＨＯＬＤ」と判断する。この場合、レート決定部３０４４は、サービングセルからの新たな伝送レートコマンド（ＡＧ）が受信されるまでは前回の上り伝送レート（１２８ｋｂｐｓ）を維持する。なお、サービングセルからの新たなＡＧが受信された場合は、その指示に従う。
【００６５】
このように本実施の形態によれば、ノンサービングセルから送信されるＲＧに対して各々のＲＧの種類（「ＨＯＬＤ」か「ＤＯＷＮ」）に応じた得点を付与し、その合計値と所定のしきい値との比較を行うことにより総合的なＲＧとして判断することができるので、一つでも「ＤＯＷＮ」を送信する基地局装置があればすぐ上り伝送レートを減少させてしまうことがなく、ソフトハンドオーバ中の移動局装置の上り伝送レートが過度に減少するのを防ぐことができる。
【００６６】
（実施の形態２）
本発明の実施の形態２の特徴は、得点合計値と比較するしきい値を複数設定し、得点合計値としきい値との大小関係に応じて、ソフトハンドオーバ中の移動局装置の上り伝送レートの減少幅を決定することである。
【００６７】
本実施の形態に係る移動体通信システムの構成は、図１に示す移動体通信システムと同様であるため、その説明を省略する。また、本実施の形態に係る基地局装置１００ａおよび移動局装置３００の要部構成は図２および図３と同様であるため、その説明を省略する。
【００６８】
本実施の形態においては、移動局装置３００の上り伝送レート制御部３０４のみが実施の形態１と異なっている。したがって、上り伝送レート制御部３０４の内部構成について説明する。
【００６９】
図８は、本実施の形態に係る上り伝送レート制御部３０４の内部構成を示すブロック図である。同図において、図４と同じ部分には同じ番号を付し、その説明を省略する。図８に示す上り伝送レート制御部３０４は、図４のしきい値設定部３０４３およびレート決定部３０４４に代えてしきい値設定部８０１およびレート決定部８０２を有する構成を採る。
【００７０】
しきい値設定部８０１は、例えば図９のように合計得点値と複数のしきい値とを関係つけた判定条件と、それぞれの条件での上り伝送レート制御の処理を示すテーブルを設定する。ここではしきい値として１．５と２．５の二つを用いた例である。具体的には、合計得点値が１．５未満の場合（条件Ｎｏ．１）、総合的なＲＧとして「ＨＯＬＤ」と判定する。合計得点値が１．５以上２．５未満の場合（条件Ｎｏ．２）、総合的なＲＧとして「ＤＯＷＮ」と判定し、１ＴＦＣ分伝送レートを下げる処理を行う。合計得点値が２．５以上の場合（条件Ｎｏ．３）、総合的なＲＧとして「ＤＯＷＮ」と判定し、２ＴＦＣ分伝送レートを下げる処理を行う。設定されたテーブルはレート決定部８０２に出力される。
【００７１】
レート決定部８０２は、合計得点値と複数のしきい値とを関係つけた判定条件と、それぞれの条件での上り伝送レート制御の処理を示すテーブルに基づき、上り伝送レートの制御幅を決定する。
【００７２】
次に実施の形態２に係る上り伝送レート制御方法について図１０および図１１を用いて説明する。
【００７３】
図１０は、実施の形態２に係る上り伝送レート制御方法を示すフロー図である。図１０において、図５と同じ部分には同じ符号を付し、詳しい説明を省略する。
【００７４】
得点化部３０４２は、各ノンサービングセルのＲＧについて、ＲＧの種別により得点を付与する。得点を付与した後、全てのノンサービングセルのＲＧに付与された得点を合計し（ＳＴ５０３）、合計値をレート決定部８０２に出力する。
【００７５】
レート決定部８０２は、合計値と複数のしきい値のうち最小のしきい値との比較を行う（ＳＴ１００１）。合計値がしきい値を超えていない場合（ＳＴ１００１：Ｎｏ）、ノンサービングセルからの総合的なＲＧを「ＨＯＬＤ」と判断し（ＳＴ５０７）、以下実施の形態１と同様の方法により最終的な上り伝送レートを決定する。
【００７６】
一方、合計値が複数のしきい値のうち最小のしきい値以上である場合（ＳＴ１００１：Ｙｅｓ）、合計値と複数のしきい値との大小比較を行い伝送レートの減少幅を決定し（ＳＴ１００２）、前回の上り伝送レートから決定した上り伝送レートの減少幅分だけ上り伝送レートを減少させる（ＳＴ１００３）。減少させた伝送レートから実施の形態１と同様の方法により最終的な伝送レートを決定する。
【００７７】
次いで、レート決定部８０２の上り伝送レート制御の具体例について図１１を用いて説明する。
【００７８】
図１１では、実施の形態１と同様に、基地局装置＃１がサービングセルであり、基地局装置＃２〜＃４がノンサービングセルである。またサービングセルである基地局装置＃１は、伝送レートコマンドとしてＡＧ（１２８ｋｂｐｓ）を送信している。また、前回の上り伝送レートも１２８ｋｂｐｓである例である。さらに、ノンサービングセルのＲＧの種別に応じて、「ＤＯＷＮ」である場合には「１」を、「ＨＯＬＤ」である場合には「０」を得点として付与する。
【００７９】
図１１（ａ）においては、基地局装置＃２〜＃４は、それぞれ「ＤＯＷＮ」、「ＨＯＬＤ」、「ＨＯＬＤ」を送信している。この場合、各ノンサービングセルのＲＧには、「１」、「０」、「０」の得点が付与され、合計得点値は「１」となる。また、最小のしきい値としては、しきい値設定部８０１により１．５が設定されており、合計得点値は、最小のしきい値以下（条件Ｎｏ．１）であるので、レート決定部８０２は、ノンサービングセルからの総合的なＲＧを「ＨＯＬＤ」と判定する。
【００８０】
一方、図１１（ｂ）においては、基地局装置＃２〜＃４は、それぞれ「ＤＯＷＮ」、「ＤＯＷＮ」、「ＨＯＬＤ」を送信している。この場合、各ノンサービングセルのＲＧには、「１」、「１」、「０」の得点が付与され、合計得点値は「２」となる。また、最小のしきい値としては、上述のように１．５が設定されており、合計得点値は、最小のしきい値以上であるので、レート決定部８０２は、ノンサービングセルからの総合的なＲＧを「ＤＯＷＮ」と判定する。次に、レート決定部８０２は、合計得点値と複数設定されたしきい値との大小比較を行う。本実施例では別のしきい値として２．５か設定されており、合計得点値は、１．５以上２．５未満（条件Ｎｏ．２）を満たすので、しきい値設定部８０１から出力されたテーブルに基づき、１ＴＦＣ分上り伝送レートを下げる処理が行われる。
【００８１】
また、図１１（ｃ）においては、基地局装置＃２〜＃４は、それぞれ「ＤＯＷＮ」、「ＤＯＷＮ」、「ＤＯＷＮ」を送信している。この場合、各ノンサービングセルのＲＧには、「１」、「１」、「１」の得点が付与され、合計得点値は「３」となる。また、最小のしきい値としては、上述のように１．５が設定されており、合計得点値は最小のしきい値以上であるので、レート決定部８０２は、ノンサービングセルからの総合的なＲＧを「ＤＯＷＮ」と判定する。次に、レート決定部８０２は、合計得点値と複数設定されたしきい値との大小比較を行う。本実施例では別のしきい値として２．５か設定されており、合計得点値は、２．５以上（条件Ｎｏ．３）を満たすので、しきい値設定部８０１から出力されたテーブルに基づき、２ＴＦＣ分上り伝送レートを下げる処理が行われる。
【００８２】
このように本実施の形態によれば、ノンサービングセルからのＲＧの種別に応じて付与される得点合計値と比較を行うしきい値を複数設けることにより、実施の形態１の効果に加えて、ＲＧで「ＤＯＷＮ」を送信してきたノンサービングセルの数に応じて、ソフトハンドオーバ中の移動局装置の上り伝送レートの減少幅を適切に決定することができる。
【００８３】
（実施の形態３）
本発明の実施の形態３の特徴は、ソフトハンドオーバ中の移動局装置が、過去複数時間間隔分のアクティブセット中全てのノンサービングセルからのＲＧに対して、各々ＲＧの種類（「ＨＯＬＤ」、「ＤＯＷＮ」）に応じて付与された得点を記憶・加算し、その得点合計値と所定のしきい値とを比較することにより総合的なＲＧを決定することである。
【００８４】
本実施の形態に係る移動体通信システムの構成は、図１に示す移動体通信システムと同様であるため、その説明を省略する。また、本実施の形態に係る基地局装置１００ａおよび移動局装置３００の要部構成は図２および図３と同様であるため、その説明を省略する。
【００８５】
本実施の形態においては、移動局装置３００の上り伝送レート制御部３０４のみが実施の形態１と異なっている。したがって、上り伝送レート制御部３０４の内部構成について説明する。
【００８６】
図１２は、本実施の形態に係る上り伝送レート制御部３０４の内部構成を示すブロック図である。同図において、図４と同じ部分には同じ番号を付し、その説明を省略する。図１２に示す上り伝送レート制御部３０４は、図４の上り伝送レート制御部３０４に伝送レートコマンド記憶部１２０１を追加した構成を採る。
【００８７】
伝送レートコマンド記憶部１２０１は、切替部３０４１から出力された各ノンサービングセルの基地局装置から送信されたＲＧ（「ＨＯＬＤ」、「ＤＯＷＮ」）を、複数時間間隔分（例えば複数ＴＴＩ分）記憶する。なお、図１２では、伝送レートコマンド記憶部１２０１は、切替部３０４１と得点化部３０４２の間に設けられているが、これに限られるものではなく、得点化部３０４２とレート決定部３０４４の間に設けることも可能である。この場合、伝送レートコマンド記憶部１２０１は、得点化部３０４２により得点化された値を記憶する。
【００８８】
次に実施の形態３に係る上り伝送レート制御方法について図１３および図１４を用いて説明する。
【００８９】
図１３は、実施の形態３に係る上り伝送レート制御方法を示すフロー図である。図１３において、図５と同じ部分には同じ符号を付し、詳しい説明を省略する。
【００９０】
伝送レートコマンド記憶部１２０１は、各ノンサービングセルからのＲＧを、過去の複数時間間隔分に渡って記憶する（ＳＴ１３０１）。
【００９１】
得点化部３０４２は、伝送レートコマンド記憶部１２０１から出力された複数時間間隔分のＲＧを、各ＲＧの種類（「ＨＯＬＤ」、「ＤＯＷＮ」）に応じて得点化する。さらに得点化部３０４２は、各ＲＧについて得点化を行った後、全ての得点を合計し（ＳＴ１３０２）、合計値をレート決定部３０４４に出力する。
【００９２】
レート決定部３０４４は、得点化部３０４２から出力された全てのノンサービングセルのＲＧに付与された得点の複数時間間隔分の合計値としきい値設定部３０４３によって設定されたしきい値とを比較する（ＳＴ５０４）。そして、レート決定部３０４４は、比較の結果に基づいて、各ノンサービングセルから送信されたＲＧの合成を行い、次回の上り伝送レートの決定を行う。
【００９３】
具体的には、ＳＴ５０４の比較の結果、得点の合計値がしきい値を超える場合（ＳＴ５０４：Ｙｅｓ）、ノンサービングセルからの総合的なＲＧを「ＤＯＷＮ」とし（ＳＴ５０５）、前回の上り伝送レートから伝送レートを減少させるように上り伝送レートを設定する（ＳＴ５０６）。
【００９４】
一方、ＳＴ５０４の比較の結果、得点の合計値がしきい値以下の場合（ＳＴ５０４：Ｎｏ）、ノンサービングセルからの総合的なＲＧを「ＨＯＬＤ」とし（ＳＴ５０７）、前回の上り伝送レートと同じ上り伝送レートを維持するように設定する（ＳＴ５０８）。
【００９５】
そして、レート決定部３０４４は、実施の形態１と同様に、決定した上り伝送レートが移動局装置３００の最大送信電力を超えていないかを確認した後（ＳＴ５０９）、最終的な上り伝送レートを決定する。
【００９６】
次いで、レート決定部３０４４の上り伝送レート制御の具体例について図１４を用いて説明する。
【００９７】
図１４では、実施の形態１と同様に、基地局装置＃１がサービングセルであり、基地局装置＃２〜＃４がノンサービングセルである。また、ノンサービングセルのＲＧの種類に応じて、「ＤＯＷＮ」である場合には「１」を、「ＨＯＬＤ」である場合には「０」を得点として付与する。図１４においては、ＲＧの種類（「ＨＯＬＤ」、「ＤＯＷＮ」）およびそれに対応した得点まで記憶しているが、ＲＧの種類またはＲＧの種類に応じて付与された得点のいずれかのみを記憶するようにしてもよい。
【００９８】
伝送レートコマンド記憶部１２０１は、複数時間間隔分（本実施例では３ＴＴＩ）のＲＧに応じて付与された得点を記憶・加算して、合計得点値を算出する。時刻１から時刻３の３ＴＴＩ時間間隔においては、「ＤＯＷＮ」が２回送信されているので、合計得点値は「２」となる。本実施例ではしきい値として「３」を設定しており、合計得点値としきい値を比較すると、合計得点値がしきい値よりも小さいので総合的なＲＧは「ＨＯＬＤ」と決定される。また、時刻４においては、時刻２から時刻４までの時間間隔における「ＤＯＷＮ」の数により合計得点値が求められる。この場合も「ＤＯＷＮ」は２回しか送信されていないので、合計得点値は「２」となり、しきい値よりも小さいので総合的なＲＧは「ＨＯＬＤ」と決定される。次に時刻５においては、時刻３から時刻５までの時間間隔における「ＤＯＷＮ」の数により合計得点値が求められる。時刻３から時刻５においては、「ＤＯＷＮ」が４回送信されているので、合計得点値は「４」となり、しきい値よりも大きいので、総合的なＲＧは「ＤＯＷＮ」と決定される。
【００９９】
このように本実施の形態によれば、ソフトハンドオーバ中の移動局装置が、過去複数時間間隔分のアクティブセット中全てのノンサービングセルからのＲＧに対して、各々ＲＧの種類（「ＨＯＬＤ」、「ＤＯＷＮ」）に応じて付与された得点を記憶・加算し、その得点合計値と所定のしきい値とを比較することにより、実施の形態１の効果に加えて、より適切な上り伝送レートを設定することができる。
【０１００】
なお、本実施の形態では、上り伝送レートコマンドを記憶する時間間隔として固定値を用いたが、これに限られず、上り伝送レートコマンドを記憶する時間間隔は可変とすることも可能である。
【０１０１】
また、本実施の形態では、しきい値として一つの値を設定したが、これに限られず、実施の形態２のように複数のしきい値を設定し、適応的に上り伝送レートの減少幅を決定することも可能である。
【０１０２】
なお、上記各実施の形態では、各ノンサービングセルからのＲＧの種別に応じて、「ＤＯＷＮ」の場合には「１」を、「ＨＯＬＤ」の場合には「０」を得点として付与し、その合計得点と所定のしきい値を比較することとしたが、これに限られず、合計得点値の割合（合計得点値をノンサービングセルの数で割ったもの）と所定のしきい値とを比較するようにしても良い。この場合、ノンサービングセルの数が可変の場合にでも、「ＤＯＷＮ」を示すＲＧ数の割合と所定の複数のしきい値とを比較することによって総合的なＲＧを決定することができる。
【産業上の利用可能性】
【０１０３】
本発明の移動局装置および伝送レート制御方法は、ソフトハンドオーバ中の移動局装置の伝送レートが過度に小さくなりすぎることを抑制し、適切な電力割当てを可能とし、例えばソフトハンドオーバ中の移動局装置が複数の基地局装置から、上り回線の伝送レートを指示される移動体通信システムにおける移動局装置および伝送レート制御方法として有用である。
【図面の簡単な説明】
【０１０４】
【図１】本発明の実施の形態１に係る移動体通信システムの構成を示す図
【図２】実施の形態１に係る基地局装置の要部構成を示すブロック図
【図３】実施の形態１に係る移動局装置の要部構成を示すブロック図
【図４】実施の形態１に係る上り伝送レート制御部の内部構成を示すブロック図
【図５】実施の形態１に係る上り伝送レート制御方法を示すフロー図
【図６】（ａ）実施の形態１に係る上り伝送レートの決定の一例を示す図（ｂ）実施の形態１に係る上り伝送レートの決定の他の一例を示す図
【図７】実施の形態１に係る上り伝送レートの一例を示す図
【図８】実施の形態２に係る上り伝送レート制御部の内部構成を示すブロック図
【図９】実施の形態２に係る得点値としきい値との関係例を示す図
【図１０】実施の形態２に係る上り伝送レート制御方法を示すフロー図
【図１１】（ａ）実施の形態２に係る上り伝送レートの決定の一例を示す図（ｂ）実施の形態２に係る上り伝送レートの決定の他の一例を示す図（ｃ）実施の形態２に係る上り伝送レートのさらに他の一例を示す図
【図１２】実施の形態３に係る上り伝送レート制御部の内部構成を示すブロック図
【図１３】実施の形態３に係る上り伝送レート制御方法を示すフロー図
【図１４】実施の形態３に係る上り伝送レートの決定の一例を示す図
【図１５】上り回線の伝送レート制御の具体例を示す図
【図１６】上り回線の伝送レート制御の他の具体例を示す図
【符号の説明】
【０１０５】
３０１  ＲＦ受信部
３０２  復調部
３０３  誤り訂正復号部
３０４  上り伝送レート制御部
３０５  送信データバッファ部
３０６  誤り訂正符号化部
３０７  変調部
３０８  送信電力制御部
３０９  ＲＦ送信部
３０４１  切替部
３０４２  得点化部
３０４３、８０１  しきい値設定部
３０４４、８０２  レート決定部
１２０１  伝送レートコマンド記憶部
【図１】
2006140844.tif 000003
【図２】
2006140844.tif 000004
【図３】
2006140844.tif 000005
【図４】
2006140844.tif 000006
【図５】
2006140844.tif 000007
【図６】
2006140844.tif 000008
【図７】
2006140844.tif 000009
【図８】
2006140844.tif 000010
【図９】
2006140844.tif 000011
【図１０】
2006140844.tif 000012
【図１１】
2006140844.tif 000013
【図１２】
2006140844.tif 000014
【図１３】
2006140844.tif 000015
【図１４】
2006140844.tif 000016
【図１５】
2006140844.tif 000017
【図１６】
2006140844.tif 000018